(57)【要約】【課題】  住戸親機側からの操作だけで親機ＩＤに対応付けられている住戸番号を確認できる集合住宅インターホンシステムを提供する。【解決手段】  住戸親機２が、自身に設定されている住戸番号を問い合わせる操作部１３と、住戸番号を表示するモニタ１１と、親機ＩＤを付して問い合わせ信号を制御装置５に送信する親機制御部２６とを備える一方、制御装置５は問い合わせ信号を受けて受信した親機ＩＤに対応する住戸番号を変換テーブル記憶部３１から読み出して返信する制御装置制御部４０を備え、住戸親機２は、制御装置５からの返信信号を受けて住戸番号をモニタ１１に表示する。【選択図】  図１
2009201061.tif 000002
【特許請求の範囲】
【請求項１】
居住者を呼び出すためにエントランス等に設置された集合玄関機と、呼び出しに応答するために各住戸に設置された住戸親機と、前記集合玄関機、前記住戸親機間の通信を制御する制御装置とを備え、個々の前記住戸親機は親機ＩＤを有して前記制御装置が前記親機ＩＤと住戸番号の変換テーブルを備えて、前記集合玄関機から住戸番号による呼び出しが成されたら、前記制御装置が前記変換テーブルを参照して親機ＩＤによる呼び出しに変換して前記住戸親機を呼出制御する集合住宅インターホンシステムであって、
前記住戸親機は、自身に設定されている住戸番号を問い合わせる問い合わせ操作部と、住戸番号を表示する表示部と、親機ＩＤを付した問い合わせ信号を生成して前記制御装置に送信する問い合わせ制御部とを備える一方、前記制御装置は、前記問い合わせ信号を受けて受信した親機ＩＤに対応する住戸番号を変換テーブルから読み出して返信する応答制御部を備え、
前記問い合わせ制御部は、前記制御装置からの返信信号を受けて前記表示部に住戸番号を表示することを特徴とする集合住宅インターホンシステム。
【請求項２】
前記応答制御部は、前記問い合わせ信号に付された親機ＩＤが前記変換テーブルに存在しない場合、所定の番号を住戸番号として返信することを特徴とする請求項１に記載の集合住宅インターホンシステム。
【発明の詳細な説明】
【技術分野】
【０００１】
本発明は集合住宅インターホンシステムに関し、特に個々の住戸内に設置された住戸親機の設定を確認する機能に関する。
【背景技術】
【０００２】
集合住宅インターホンシステムは、集合玄関機から住戸番号を入力して住戸親機の呼び出しが成される。このようなシステムでは個々の住戸親機には個々の親機を識別するために異なる親機ＩＤが設定され、入力された住戸番号が親機ＩＤに変換されて呼び出しがなされる（例えば、特許文献１参照）。このようなシステムでは、例えば制御装置に住戸番号を親機ＩＤに変換する変換テーブルが設けられ、集合玄関機等から住戸番号による呼出操作が成されたら、制御装置において住戸番号による呼出信号から親機ＩＤによる呼出信号に変換されて呼び出しされる。
【０００３】
このように住戸番号により呼出操作が行われ、親機ＩＤによる呼出信号が生成される構成の場合、施工時や住戸親機の変更等の際に住戸親機の設定確認が行われ、管理室親機（又は集合玄関機）から住戸親機を呼び出して所望の住戸親機が呼出動作するか、又は住戸親機から管理室親機を呼び出して管理室親機の表示を確認するかで行われ、住戸側と管理室又は集合玄関の双方に人員を配して確認作業が行われた。
【特許文献１】特開２０００−２８６９６９号公報
【発明の開示】
【発明が解決しようとする課題】
【０００４】
このように、従来の住戸親機の設定確認作業は、集合玄関機或いは管理室親機側と、住戸親機側の双方に人員を配しなければならないため、一人の作業者で確認することができず面倒な作業となっていた。
そこで、本発明はこのような問題点に鑑み、住戸親機側からの操作だけで親機ＩＤに対応付けられている住戸番号を確認できる集合住宅インターホンシステムを提供することを目的とする。
【課題を解決するための手段】
【０００５】
上記課題を解決する為に、請求項１の発明は、居住者を呼び出すためにエントランス等に設置された集合玄関機と、呼び出しに応答するために各住戸に設置された住戸親機と、集合玄関機、住戸親機間の通信を制御する制御装置とを備え、個々の住戸親機は親機ＩＤを有して制御装置が親機ＩＤと住戸番号の変換テーブルを備えて、集合玄関機から住戸番号による呼び出しが成されたら、制御装置が変換テーブルを参照して親機ＩＤによる呼び出しに変換して住戸親機を呼出制御する集合住宅インターホンシステムであって、住戸親機は、自身に設定されている住戸番号を問い合わせる問い合わせ操作部と、住戸番号を表示する表示部と、親機ＩＤを付した問い合わせ信号を生成して制御装置に送信する問い合わせ制御部とを備える一方、制御装置は、問い合わせ信号を受けて受信した親機ＩＤに対応する住戸番号を変換テーブルから読み出して返信する応答制御部を備え、問い合わせ制御部は、制御装置からの返信信号を受けて表示部に住戸番号を表示することを特徴とする。
この構成によれば、住戸親機側から親機ＩＤに対応づけられた住戸番号を確認することができる。よって、施工時等に親機ＩＤが正しく設定されているか一人の作業者で容易に確認でき、確認作業の省力化を図ることができる。
【０００６】
請求項２の発明は請求項１に記載の発明において、応答制御部は、問い合わせ信号に付された親機ＩＤが変換テーブルに存在しない場合、所定の番号を住戸番号として返信することを特徴とする。
この構成によれば、制御装置に登録されていないＩＤの住戸親機が接続された場合に、ＩＤ設定ミスであることを容易に把握でき、スムーズに対処できる。
【発明の効果】
【０００７】
本発明によれば、住戸親機側から親機ＩＤに対応づけられた住戸番号を確認することができるため、施工時等に親機ＩＤが正しく設定されているか一人の作業者で容易に確認でき、確認作業の省力化を図ることができる。
【発明を実施するための最良の形態】
【０００８】
以下、本発明を具体化した実施の形態を、図面に基づいて詳細に説明する。図１は本発明に係る集合住宅インターホンシステムの一例を示す構成図であり、制御装置と住戸親機をブロック図で示している。図１に示すように、居住者を呼び出すためにエントランス等に設置された集合玄関機１、呼び出しに応答するために各住戸に設置された住戸親機２，２・・、個々の住戸玄関に設置されて居住者を呼び出すための住戸玄関機３，３・・、管理室に設置されて居住者や来訪者と通話するための管理室親機４、各機器間の通信を制御する制御装置５を備えている。
【０００９】
集合玄関機１はデータ伝送線Ｌ１ａと音声・映像伝送線Ｌ１ｂとで制御装置５に接続され、住戸親機２はデータ伝送幹線Ｌ２ａと音声・映像伝送幹線Ｌ２ｂとで制御装置５に接続されている。また、管理室親機４はデータ伝送線Ｌ３ａと音声伝送線Ｌ３ｂとで制御装置５に接続され、住戸玄関機３は音声・映像伝送線Ｌ４で対応する住戸親機２に接続されている。
【００１０】
住戸親機２は、集合玄関機１や住戸玄関機３に設置された図示しないカメラの撮像映像を表示したり各種情報を表示するためのモニタ１１、カメラ撮像映像を録画するための録画メモリ１２、呼び出しに対する応答操作や住戸番号の問い合わせ等の各種操作を行うための操作部１３、呼出音を報音するスピーカ１４、このスピーカ１４から出力する音響信号を増幅するアンプ１５、呼出音を記憶する呼出音データ部１６、通話するための送受器１７、送受音声信号を増幅する送話アンプ１８ａ及び受話アンプ１８ｂ、時刻を管理する時刻管理部２０、住戸親機のＩＤ（親機ＩＤ）を設定する親機ＩＤ設定部２１、住戸玄関機３と音声信号を送受するための玄関音声送受ＩＦ２２ａ（尚、ＩＦはインターフェースの略であり、以下同様である。）、住戸玄関機３から映像信号を受信するための玄関映像ＩＦ２２ｂ、集合玄関機１或いは管理室親機４と音声信号を送受するための音声送受ＩＦ２３ａ、集合玄関機１或いは管理室親機４から映像信号を受信するための映像ＩＦ２３ｂ、制御装置５とデータを送受するためのデータ送受ＩＦ２４、住戸親機２全体を制御する親機制御部２６を備えている。
【００１１】
制御装置５は、各種設定操作するための操作部３０、住戸番号を親機ＩＤに変換するための変換テーブルを記憶した変換テーブル記憶部３１、音声信号及び映像信号の伝送路を切替操作する音声・映像切替部３２、、集合玄関機１とデータを送受するための第１データ送受ＩＦ３３、集合玄関機１と音声・映像信号を送受する第１音声・映像送受ＩＦ３４、管理室親機４とデータを送受する第２データ送受ＩＦ３５、管理室親機４と音声・映像信号を送受する第２音声・映像送受ＩＦ３６、各住戸親機２，２・・とデータを送受するための第３データ送受ＩＦ３７、各住戸親機２，２・・と音声・映像信号を送受するための第３音声・映像送受ＩＦ３８、制御装置５全体を制御する制御装置制御部４０を備えている。
【００１２】
このように構成された集合住宅インターホンシステムの動作を次に説明する。但し、来訪者が集合玄関機１を操作して住戸番号を入力して居住者を呼び出し、居住者がその呼び出しに応答する動作等は従来のシステムと同様であるため説明を省略し、個々の住戸親機２に設定された住戸番号を確認する動作を以下説明する。
最初に、個々の住戸親機２，２・・は親機ＩＤ設定部２１で親機ＩＤが設定される。この親機ＩＤは、他の住戸親機２とＩＤが重なる事が無いよう設定される。
【００１３】
親機ＩＤが設定された住戸親機２は、操作部１３の所定の操作により自己に設定された住戸番号を制御装置５に問い合わせることが可能となる。操作部１３の所定の操作、例えば図示しない通話ボタンの長押し等により、親機制御部２６が問い合わせ信号を生成して制御装置５に送出する。信号はデータ送受ＩＦ２４からデータ伝送幹線Ｌ２ａを介して制御装置５の第３データ送受ＩＦ３７に伝送され、制御装置制御部４０が受信する。
【００１４】
この問い合わせ信号は図２のＳ１に示すよう構成され、識別符号としての親機ＩＤに、信号内容として親機ＩＤが引数として付加された問い合わせコマンドが付加された構成となっている。制御装置５は、この問い合わせ信号Ｓ１を受けて図２のＳ２に示す応答信号（返信信号）を生成して返信する。応答信号Ｓ２は、送信元の親機ＩＤを識別符号として、応答コマンドに親機ＩＤ及び住戸番号が引数として付加された構成となっている。
【００１５】
図３は具体的な問い合わせ動作における信号の流れを示すシーケンス図を示し、この図に基づいて信号の流れを説明する。但し、識別符号と、問い合わせコマンドに添付するＩＤは、この場合同一の親機ＩＤであるが、説明の都合上識別符号の親機ＩＤを［ｘ］、引数としてコマンドに添付される親機ＩＤを［ｘｘ］としてある。
問い合わせ信号Ｓ１を受信した制御装置５は、制御装置制御部４０が識別符号の親機ＩＤ［ｘ］に内部識別符号［０１］を付加して、識別符号を［０１ｘ］とする。そして、同様に問い合わせコマンドに添付されている親機ＩＤ［ｘｘ］に対して内部識別符号［０１］を付加したＩＤ［０１ｘｘ］を生成し、この［０１ｘｘ］に対応する住戸番号を変換テーブルＡから検索して読み取る。ここでは住戸番号ＡＡＡＡが読み取られる。
【００１６】
こうして読み取った住戸番号は、応答コマンドの引数として親機ＩＤ［ｘｘ］に添付され、［ｘｘＡＡＡＡ］を引数とした内部応答信号Ｓ５が生成される。そして、内部識別信号［０１］を取り外した［ｘ］を識別符号とする応答信号Ｓ２が生成されて伝送される。この応答信号Ｓ２は、制御装置５の第３データ送受ＩＦ３７から送出され、データ伝送幹線Ｌ２ａを介して住戸親機２に伝送される。
【００１７】
問い合わせ信号Ｓ１を送出した住戸親機２の親機制御部２６は、データ送受ＩＦ２４を介して受信した応答信号Ｓ２の識別符号［ｘ］から、応答信号Ｓ２を自己に対し有効な伝送信号と判断して受け取る。そして、応答信号受信動作として、読み取った応答コマンド添付情報［ｘｘＡＡＡＡ］から親機ＩＤ［ｘｘ］と住戸番号ＡＡＡＡをモニタ１１に表示し、親機ＩＤが［ｘｘ］すなわち自身の住戸番号がＡＡＡＡであることが表示される。
【００１８】
但し、問い合わせ信号Ｓ１に対してＩＤ［０１ｘｘ］に対応する住戸番号が検索できない場合は、制御装置制御部４０は住戸番号として対応番号無しを示す［９９９９］を応答コマンドに添付して返信する。この住戸番号情報を受信した住戸親機２は、受信した通り９９９９を住戸番号としてモニタ１１に表示する。尚、この場合、「対応番号無し」と文字情報で表示させることもできる。
【００１９】
このように、住戸親機側から親機ＩＤに対応づけられた住戸番号を確認することができるため、施工時等に親機ＩＤが正しく設定されているか一人の作業者で容易に確認でき、確認作業の省力化を図ることができる。
また、制御装置に登録されていないＩＤの住戸親機が接続された場合に、所定の住戸番号の送信を受けるので、ＩＤ登録ミスであることを容易に把握できスムーズに対処できる。
【００２０】
尚、上記実施形態では、住戸親機２での所定の操作により自身の住戸番号の確認をする場合を示したが、上記問い合わせ信号Ｓ１を使用して他の住戸親機２の住戸番号を問い合わせることも可能である。これは、親機ＩＤを識別符号としているのに加えて、問い合わせ親機ＩＤを別途問い合わせコマンドの引数としているためで、この引数としている親機ＩＤを他の親機ＩＤとすれば、他の住戸親機の住戸番号を問い合わせることが可能となる。
【図面の簡単な説明】
【００２１】
【図１】本発明に係る集合住宅インターホンシステムの実施形態の一例を示す構成図である。
【図２】問い合わせ信号、応答信号の信号構成を示す説明図である。
【図３】図２の信号の流れを示すシーケンス図である。
【符号の説明】
【００２２】
１・・集合玄関機、２・・住戸親機、４・・管理室親機、５・・制御装置、１１・・モニタ（表示部）、１３・・操作部（問い合わせ操作部）、２１・・親機ＩＤ設定部、２６・・親機制御部（問い合わせ制御部）、３１・・変換テーブル記憶部、４０・・制御装置制御部（応答制御部）。
【図１】
2009201061.tif 000003
【図２】
2009201061.tif 000004
【図３】
2009201061.tif 000005